(57)【要約】メッシュ網を有するシフターを通じてパフなどの化粧道具で化粧品を取り出して使用するコンパクトタイプの化粧品容器。シフターは湿式パウダー状の化粧品を収納する内部容器に確実に気密した状態で結合される。リッドの閉鎖操作時、上記シフターの枠体に形成された排出孔が気密パッキングによって効果的に気密に遮断される。化粧品の携帯使用の間の化粧品の漏出を防止する。化粧品容器に化粧道具を一体に備えて使用便利性を著しく高めることができる。【選択図】  図３
2018509257.tif 000002
【特許請求の範囲】
【請求項１】
外部容器と、
前記外部容器にヒンジ手段を介して開閉可能に結合される外部カバーと、
前記外部容器の内部に結合され、化粧品を収容する内部容器と、
前記内部容器の上部に結合され、化粧品の排出のための排出孔が形成され、前記排出孔がメッシュ網で遮られているシフターと、
前記シフターの前記排出孔を気密に遮断するために前記内部容器にヒンジ手段を介して開閉可能に結合され、底部下面には柔軟な素材の気密パッキングが備えられ、化粧道具を収納する化粧道具収納部が一体に備えられたリッドと、
を含み、
前記内部容器の内部に結合される前記シフターは、枠体の外周壁面が下向きに傾くように形成されて前記内部容器に対する安定した結合が可能であり、前記外周壁面には気密リングが形成され、前記枠体の結合溝、及び前記結合溝が弾性的に結合される前記内部容器の支柱壁に気密結合突起がそれぞれ対応して形成されることにより、前記内部容器の支柱壁に対して前記シフターが気密に結合され、
前記シフターの枠体外周壁面に押され防止突起が形成されることで、前記シフターに対する前記リッドの閉鎖操作の際、前記外周壁面が、前記シフターの前記排出孔を遮断する前記リッドの加圧密着力によって外側に押されないようにして、前記リッドに備えられた前記気密パッキングによる前記排出孔の気密力が喪失されないように構成される、コンパクトタイプの化粧品容器。
【請求項２】
前記シフターの枠体に形成される前記排出孔の内周面は、下向きに小さくなる傾斜面であり、前記傾斜面には一つ以上の接触突出部が形成され、前記排出孔に密着する前記リッドの前記気密パッキングも前記排出孔の傾斜面に適合する傾斜面が形成されて気密になり、前記接触突出部に対して部分的に線接触するように構成される、請求項１に記載のコンパクトタイプの化粧品容器。
【請求項３】
前記リッドの前記気密パッキングには、前記シフターの底部上面に密着する環状突起が形成されることによってシフターに対する安定した気密力を提供する、請求項２に記載のコンパクトタイプの化粧品容器。
【請求項４】
前記シフターの枠体外周壁面に形成された前記押され防止突起は、少なくとも一つ以上に分割される、請求項１に記載のコンパクトタイプの化粧品容器。
【請求項５】
前記リッドに備えられる前記気密パッキングはエラストマーで形成される、請求項１に記載のコンパクトタイプの化粧品容器。
【請求項６】
前記シフターの前記排出孔を閉鎖する前記メッシュ網は、前記シフター枠体の下部及びメッシュ網固定リングの上部に対応して形成された凹凸結合部、及び前記凹凸結合部にそれぞれ形成された固定ピンによって互いに緊密に引っ張られて固定され、前記枠体の凹凸部の外側内周面に形成された係合凹部に、前記メッシュ網固定リングの凹凸結合部の対応位置に形成された係合突出部が弾性的に結合され、超音波接合で一体に固定されて支持される、請求項１に記載のコンパクトタイプの化粧品容器。
【請求項７】
前記メッシュ網固定リングの前記凹凸結合部には補助固定ピンがさらに形成されることにより、前記固定ピンによって係合固定される前記メッシュ網がさらに緊密に引っ張れるように構成される、請求項６に記載のコンパクトタイプの化粧品容器。
【請求項８】
前記内部容器の上端内周面には、一定区間だけ傾斜面が形成されることにより、前記内部容器に対する前記シフターの結合時、前記内部容器の圧力が外部に放出されるように構成される、請求項１に記載のコンパクトタイプの化粧品容器。
【発明の詳細な説明】
【技術分野】
【０００１】
本発明は、化粧品容器に係り、特に、パウダー状の化粧品を収納する内部容器にシフター（ｓｉｆｔｅｒ）が確かで気密に結合可能であり、また携帯使用が便利であるコンパクトタイプの化粧品容器に関する。
【背景技術】
【０００２】
一般に、湿式パウダー状の化粧品は化粧粉（ｐｏｗｄｅｒ）に水分を含み、その他の機能性物質が含有された圧縮形態であるため、使用中に水分が蒸発したり変質したりすることを防止するための気密性が確保されなければならない。
【０００３】
このため、従来にもコンパクトタイプの化粧品容器の内部に湿式パウダーを収納し、これを携帯して使っているが、容器の構造上、気密安全性を確保するのに問題がある。
【０００４】
例えば、大韓民国登録実用新案第２０−１６５４０２号、大韓民国公開特許第１０−２００９−７０３０６号、大韓民国特許登録第１０−１０６３４７７号を見ると、本体上部のカバーが上下に開閉される容器構造において、カバーの閉鎖動作時にパッキングが単に密着される構造によって気密性を確保するように容器構造は構成されているが、単にパッキングを用いた気密構造によっては、水分を含む湿式パウダー状の化粧品に対する安定した気密力を提供するのには限界がある。
【０００５】
このような点に鑑みて、本出願人が開発した“化粧用パウダー容器”が大韓民国特許登録第１０−１０７３４３６号に提示されているが、これは容器本体に対して蓋が螺合方式で開閉される構造であり、蓋の内部にメッシュ網が備えられたシフターの引出孔を遮断する気密部材が一体に備えられているので、シフター（ｓｉｆｔｅｒ）に対する気密便利性はあるが、容器本体の内部に収容されたパウダーを付けて塗るための化粧道具、例えばパフ（Ｐｕｆｆ）又は化粧ブラシ（Ｍａｋｅｕｐ  ｂｒｕｓｈ）が別に備えられる構造であるため、パウダーを用いた顔面化粧（Ｍａｋｅｕｐ）の際に多少の不便さがあった。
【先行技術文献】
【特許文献】
【０００６】
【特許文献１】大韓民国登録実用新案第２０−１６５４０２号公報
【特許文献２】大韓民国公開特許第１０−２００９−７０３０６号公報
【特許文献３】大韓民国特許登録第１０−１０６３４７７号公報
【特許文献４】大韓民国特許登録第１０−１０７３４３６号公報
【発明の概要】
【発明が解決しようとする課題】
【０００７】
したがって、本発明は上記のような従来の諸般の問題点を解決するために発明されたもので、本発明の目的は、特に湿式パウダー状の化粧品を収納した内部容器に対して、シフターの安定した気密結合力を提供しながらも、化粧道具が一体的に収納されることによる製品の使用利便性を著しく高めたコンパクトタイプの化粧品容器を提供することにある。
【課題を解決するための手段】
【０００８】
上記の課題を達成するために、本発明の一態様によると、コンパクトタイプの化粧品容器は、外部容器と、上記外部容器にヒンジ手段を介して開閉可能に結合される外部カバーと、上記外部容器の内部に結合され、化粧品を収容する内部容器と、内部容器の上部に結合され、化粧品の排出のための排出孔が形成され、上記排出孔がメッシュ網で遮られているシフターと、上記シフターの排出孔を気密に遮断するために内部容器にヒンジ手段を介して開閉可能に結合され、底部下面には柔軟な素材の気密パッキングが備えられ、化粧道具を収納する化粧道具収納部が一体に備えられたリッドと、を含む。上記内部容器の内部に結合されるシフターは、枠体の外周壁面が下向きに傾くように形成されて内部容器に対する安定した結合が可能であり、上記外周壁面には気密リングが形成され、上記枠体の結合溝、及び上記結合溝が弾性的に結合される上記内部容器の支柱壁に気密結合突起がそれぞれ対応して形成されることにより、上記内部容器の支柱壁に対してシフターが気密に結合される。上記シフターの枠体外周壁面に押され防止突起が形成されることで、上記シフターに対するリッドの閉鎖操作の際、上記外周壁面が、シフターの排出孔を遮断するリッドの加圧密着力によって外側に押されないようにして、上記リッドに備えられた気密パッキングによる排出孔の気密力が喪失されないように構成される。
【０００９】
上記シフターの枠体に形成される排出孔の内周面は、下向きに小さくなる傾斜面で形成されることができ、上記傾斜面には一つ以上の接触突出部が形成される。上記排出孔に密着するリッドの気密パッキングも排出孔の傾斜面と適合する傾斜面が形成されて気密になることができる。上記接触突出部に対して部分的に線接触する。
【００１０】
上記リッドの気密パッキングにはシフターの底部上面に密着する環状突起が形成されることによってシフターに対する安定した気密力を提供することができる。
【００１１】
上記シフターの枠体外周壁面に形成された押され防止突起は少なくとも一つ以上に分割されることができる。
【００１２】
上記リッドに備えられる気密パッキングはエラストマーで形成されてもよい。
【００１３】
上記シフターの排出孔を閉鎖するメッシュ網は、上記シフター枠体の下部及びメッシュ網固定リングの上部に対応して形成された凹凸結合部と、及び上記凹凸結合部にそれぞれ形成された固定ピンとによって互いに緊密に引っ張られて固定されることができる。上記枠体の凹凸部の外側内周面に形成された係合凹部に、上記メッシュ網固定リングの凹凸結合部の対応位置に形成された係合突出部が弾性的に結合され、超音波接合で一体に固定されて支持されることができる。
【００１４】
上記メッシュ網固定リングの凹凸結合部には補助固定ピンがさらに形成されることにより、固定ピンによって係合固定されるメッシュ網がより緊密に引っ張れるように構成されることができる。
【００１５】
上記内部容器の上端内周面は一定区間だけ傾斜面に形成されることにより、内部容器に対するシフターの結合時、内部容器の圧力が外部に放出されるように構成されることができる。
【発明の効果】
【００１６】
前述した特徴を有する本発明によると、多様なタイプの化粧品を収納する内部容器に対して、化粧品の排出使用のためのメッシュ網が備えられたシフターの結合を迅速で容易にしながらも、安定した気密力を提供して化粧品の品質を長く維持することができ、また化粧道具が一体に備えられることによって、携帯して使用する際の使用利便性を著しく高めることができ、シフターに対するメッシュ網の安定した固定結合によって常に張力を受けた状態を維持することが可能であって、メッシュ網の過度な垂れを防止しながらも、化粧品の適正な排出使用が可能になり、製品の品質を高めることができるという利点を提供することになる。
【００１７】
また、本発明によると、内部容器の上端内周面の一定区間だけに傾斜面が形成されているので、内部容器に乾式パウダー型の化粧品が充填されても、内部容器に対するシフターの結合時に、内部容器の内部圧力の解消が可能であって、メッシュ網を通じて化粧品が飛散する問題を解消し、またメッシュ網の上部に付着したラベルの毀損を防止して、製品の使用安全性及び信頼性を一層高めることができるものである。
【図面の簡単な説明】
【００１８】
【図１】本発明による組立斜視図である。
【図２】本発明による分離斜視図である。
【図３】図１のＡ−Ａ線についての断面図である。
【図４】図１のＢ−Ｂ線についての断面図である。
【図５】図３の“Ｃ”部の抜粋図である。
【図６】図４の“Ｄ”部の抜粋図である。
【図７】本発明によるシフターの分離断面図である。
【図８】図７の組立断面図である。
【図９】本発明によるシフターの底面図である。
【図１０】本発明によるシフターの分離抜純断面図である。
【図１１】本発明によるシフターの組立抜純断面図である。
【図１２】本発明による使用状態断面図である。
【図１３】本発明による変形実施構造を示す抜純断面図である。
【発明を実施するための形態】
【００１９】
以下、本発明による好適な実施例を添付図面に基づいて詳細に説明すれば次のようである。
【００２０】
図１〜図１１を参照すると、本発明によるコンパクトタイプの化粧品容器１００は、ＡＢＳ樹脂（ａｃｒｙｌｏｎｉｔｒｉｌｅ  ｂｕｔａｄｉｅｎｅ  ｓｔｙｒｅｎｅ樹脂）などの射出材料から射出成形されて組み立てられ、また向き合う方向に開いた形態を有する外部容器１１０及び外部カバー１２０を含む。
【００２１】
上記外部容器及び外部カバーは、ヒンジ手段１０２がそれぞれの片側に配置されることによって互いに結合される。すなわち、外部容器の一方の外側に開放するように形成された回動操作具１０２ａに、上記外部カバーの一方の下端から延設された回動支持片１０２ｂが挿入され、上記回動操作具及び回動支持片に同軸線上に貫設されたピン孔１０２ｃにピン１０２ｄが結合されることによって、上記外部容器に対して外部カバーが一定角度の範囲内で回動操作されるように構成されている。しかし、上記ヒンジ手段１０２はこれに限られず、必要によって多様な設計構造を有することができる。
【００２２】
また、外部容器１１０及び外部カバー１２０は他方の開閉手段１０４によって開閉動作がされるように構成される。すなわち、ヒンジ手段１０２の反対側の外部容器１１０及び外部カバー１２０の対応位置に延設された係合突起１０４ａ及び１０４ｂの相互係合、及び解除動作によって開閉動作がされるように構成されている。しかし、上記開閉手段１０４も必要によって多様な設計構造を有することができるのは言うまでもない。
【００２３】
上記外部カバー１２０の内面には、化粧時に顔を見ながら化粧するためのミラー１２２が設けられている。
【００２４】
上記外部容器１１０の内部には、化粧のための内容物として、特に水分を含んでいる湿式パウダー状の化粧品１７０を収容する内部容器１３０が結合される。ここで、化粧品は、湿式パウダー型が最も好ましいが、これに限定されず、多様なタイプを有することができる。すなわち、化粧品は、乾式パウダー型を含め、一定の粘性を有する液状化粧料、又はスポンジなどの多孔性パッドに液状化粧料が含浸されたタイプであってもよい。
【００２５】
上記湿式パウダーは、粉末状のパウダーに水分又は機能性物質が含有された状態で一定圧力で圧縮された形態であってもよく、また一定の粘度を有する液状又はクリーム状であってもよい。特に、湿式パウダー、液状又はクリーム状の化粧品は、水分を含んでいるので、単純な乾式粉末状の化粧品に比べ、化粧時にしっとりし、涼感を提供することになり、近年消費者にとって高い人気を集めている。
【００２６】
上記外部容器１１０の内部に結合される内部容器１３０は、上記外部容器の内壁面及び内部容器の外壁面に、互いに対応するように形成された一つ以上の係合溝１１２及び係合突起１３１の相互弾性係合によって、分離されないように互いが結合される。
【００２７】
上記内部容器１３０の上部には、シフター１４０が分離可能に気密に結合される。上記内部容器に対するシフターの結合は、上記内部容器の内周面の上側に延設された支柱壁１３２に、シフター１４０の枠体１４１の外側上端の下方に開放するように形成された結合溝１４２が結合するとともに、上記支柱壁及び結合溝にそれぞれ対応するように形成された気密結合突起１３２ａ及び１４２ａの相互弾性結合によって密閉結合される。
【００２８】
また、上記内部容器１３０に結合されるシフター１４０は、図１０から確認できるように、内部容器の内部に結合される枠体１４１の外周壁面１４３の下端が細くなるように、外周壁面１４３が所定の角度Ｅで傾くように形成されることで、内部容器との挿合が迅速で容易になされるようにする。
【００２９】
すなわち、上記内部容器に対するシフターの結合時、上記枠体１４１の外周壁面１４３が下端に行くほど細くなり傾くように形成されているから、内部容器１３０の内周壁面に互いに密着せず、微細な隙間を置いて離隔する状態で結合されるので、その分だけ結合作業が円滑で迅速になされることができるものである。
【００３０】
そして、上記シフター１４０の枠体１４１の外周壁面１４３の上側に気密リング１４３ａが円周面の全面に突設され、さらにその下側には、内部容器１３０に対するシフター１４０の結合時、内部容器の内周壁面との部分的な接触によって容易に挿合されるようにするとともに、押し付けられることを防止するための押され防止突起１４３ｂが、少なくとも一箇所以上に均等に分割される。
【００３１】
上記押され防止突起１４３ｂは、内部容器１３０にシフター１４０が迅速で容易に結合されるようにするために、所定の角度Ｅで傾くように形成された枠体１４１の外周壁面１４３が、内部容器の内周壁面と直接接触しない状態で結合されるので、後述するリッド１５０の閉鎖操作時の押圧力によっても外側に押されず、常に安定した結合状態を維持するためのものである。
【００３２】
上記シフター１４０の枠体１４１の底部中央には、化粧品の排出のための排出孔１４４が貫設され、上記排出孔の下端には、メッシュ網固定リング１４５によって伸縮作用するように固定支持されるとともに、化粧品が化粧道具１６０に凝集せずに均等に付着するようにするためのメッシュ網１４６が備えられている。
【００３３】
上記排出孔１４４の内周面は、上端から下端底面に行くほど小さくなる傾斜面であり、さらに内周面には一つ以上の接触突出部１４４ａが形成されている。
【００３４】
上記メッシュ網１４６は、良好な伸縮性を有するように、ナイロンなどの素材から製造されたものを使うことが好ましいが、伸縮作用が可能な素材であれば特に制限される必要はない。
【００３５】
ここで、メッシュ網１４６は、化粧品の引出使用時に、シフター１４０の枠体１４１に対して垂れないように常に張力を受けた状態を維持して、化粧品の適正な排出作用ができるようにすることが好ましい。
【００３６】
このような点を考慮して、本発明は、図７〜図９から確認できるように、シフター１４０の枠体１４１の下部の底部とメッシュ網固定リング１４５の上部には、凹凸結合部１４１ａ、１４５ａがそれぞれ対応するように形成され、上記各凹凸結合部１４１ａ、１４５ａには、これらの間に介在するメッシュ網の縁部を均一な緊張状態になるように引っ張って固定するために、断面三角突起状に尖るように形成された固定ピン１４１ａ−１、１４５ａ−１がそれぞれ形成されている。
【００３７】
また、メッシュ網固定リング１４５の凹凸結合部１４５ａには、上記固定ピン１４１ａ−１、１４５ａ−１の間に補助固定ピン１４５ａ−２がさらに形成されることで、枠体１４１の排出孔１４４に位置するメッシュ網を除いた残部、例えば、縁部も全体的にさらに緊張した状態になるように引っ張られて固定されることにより、上記固定ピン１４１ａ−１、１４５ａ−１による固定力が少々弱くなったとしても、常にぴんとした引張状態を維持することができる。
【００３８】
そして、シフター１４０の枠体１４１の下部に形成された凹凸結合部１４１ａに対して凹凸結合部１４５ａが対応して結合されるメッシュ網固定リング１４５は、枠体１４１の凹凸結合部の外側内周面に形成された係合凹部１４１ｂに、上記メッシュ網固定リング１４５の凹凸結合部１４５ａの対応位置に形成された係合突出部１４５ｂにより１次に弾性結合され、ついでメッシュ網固定リング１４５の下面を超音波で接合する作業によって２次に固定支持される。
【００３９】
上記のようなメッシュ網固定リング１４５の結合によって、凹凸結合部１４１ａと１４５ａとの間に介在するメッシュ網１４６は、外れることなく安定した結合状態を維持することができるようになる。
【００４０】
一方、図１０及び図１１から確認できるように、上記シフター１４０の上側には、パフ又は化粧ブラシなどの化粧道具１６０を収納する化粧道具収納部１５１が凹むように形成されたリッド１５０が、一方のヒンジ手段１０６を介して上方に開閉することによって、シフター１４０の排出孔１４４を気密に遮断するように構成されている。
【００４１】
上記ヒンジ手段１０６は、外部容器の一方の上側に立設された回動操作片１０６ａに、上記リッドの一方の外側に延設された回動支持片１０６ｂが結合され、上記回動操作片及び回動支持片に同軸線上に貫設されたピン孔１０６ｃにピン１０６ｄが挿合される構造であり、このような組立構造によって上記シフターに対してリッド１５０が一定の角度範囲内で回動操作されるように構成されている。しかし、上記ヒンジ手段１０６はこれに限られず、必要によって多様な設計構造を有することができる。
【００４２】
上記ヒンジ手段１０６を備えたリッド１５０の他側には、図６から確認できるように、開閉手段１０８が備えられている。上記開閉手段１０８は、リッドの上端外側に延設された開閉操作片１０８ａ、上記開閉操作片の下方に延設された弾性支持片１０８ｂ、弾性支持片１０８ｂに形成され、内部容器１３０の対応位置に突設された係合突起１０８ｄに弾性的に係合及び解除される係合突起１０８ｃを含んでなる。しかし、上記開閉手段１０８もこれに限られず、必要によって多様な設計構造を有することができる。
【００４３】
したがって、上記リッド１５０は、ヒンジ手段１０６及び開閉手段１０８によってシフター１４０の上方に回動する開閉操作が可能になるとともに、特にリッドの閉鎖操作による安定した係合力の維持が可能となる。
【００４４】
上記リッド１５０の回動操作のためのヒンジ手段１０６は、外部カバー１２０の回動操作のために備えられたヒンジ手段１０２に対して直交する方向に配置されることにより、それぞれの開閉動作による干渉を引き起こさないように構成される。
【００４５】
上記リッド１５０の底部の下面には、シフター１４０の排出孔１４４を気密に遮断するために、柔軟な素材からなる気密パッキング１５２が備えられている。上記シフターの排出孔１４４に接触する気密パッキング１５２に対応する側面は、上記排出孔と同じ接触面に形成されることが好ましい。
【００４６】
上記気密パッキング１５２は、リッド１５０の底部の底面に対し二重射出方式で一体に構成されることが好ましく、安定した気密力の提供のために、ＮＢＲ（Ａｃｒｙｌｏ  Ｎｉｔｒｉｌ  Ｂｕｔａｄｉｅｎｅ  Ｒｕｂｂｅｒ）、シリコンゴム（Ｓｉｌｉｃｏｎ  Ｒｕｂｂｅｒ）、エラストマー（ｅｌａｓｔｏｍｅｒ）などの各種の柔軟な素材を用いることができる。しかし、前述した素材の外にも気密が可能な素材であれば特に制限される必要はない。
【００４７】
好ましくは、気密パッキング１５２は、射出作業性又は気密安全性などの諸般条件を考慮すると、エラストマー（ｅｌａｓｔｏｍｅｒ）を用いることが最も好ましい。
【００４８】
一方、上記気密パッキング１５２は、シフター１４０に対する開閉操作の際、シフターの枠体１４１の底部上面に部分的に密着して気密にするための環状突起１５３をさらに形成することで、シフター１４０に対する気密性がより効果的になるように構成することが好ましい。
【００４９】
上記気密パッキング１５２には、環状突起１５３がさらに備えられることにより、シフター１４０の排出孔１４４はより安定した気密状態を維持することができる。
【００５０】
本発明によると、上記内部容器１３０、シフター１４０の枠体１４１及びリッド１５０も合成樹脂素材から射出成形されるが、好ましくは耐熱性及び耐薬品性に優れるとともに引張強度、衝撃強度、機械的性質などに優れたポリプロピレン（ｐｏｌｙｐｒｏｐｙｌｅｎｅ）素材を用いて射出成形することが好ましい。
【００５１】
このように構成される本発明によるコンパクトタイプの化粧品容器１００は、リッド１５０に化粧道具収納部１５１が備えられ、これにパフなどの化粧道具１６０を収納して使うことができるので、従来の化粧道具を別に備えて使うものに比べ、製品の携帯使用による高い利便性を提供することになる。
【００５２】
また、内部容器１３０に対するシフター１４０の組立の際、図１１から確認できるように、シフターの結合溝１４２及び外周壁面１４３に形成された気密結合突起１４２ａ及び気密リング１４３ａが、支柱壁１３２に形成された気密結合突起及び内周壁面に緊密に接触して結合することにより、上記内部容器及びシフターが安定的に結合されるだけでなく、これら結合部位を通じた化粧品の漏洩や水分蒸発が防止される。
【００５３】
また、シフター１４０に対するリッド１５０の閉鎖操作の際、リッドの底部下面に形成された気密パッキング１５２がシフターの排出孔１４４を遮断することになる。このとき、リッドの加圧密着力によって内部容器１３０に対する結合が良好になされるようにするために、下端に行くほど細くなるように傾くように形成された外周壁面１４３が外側に押されても、これに形成された押され防止突起１４３ｂが内部容器の内周壁面に常時密着した状態を維持しているので、上記リッド１５０の閉鎖操作の際、リッドの気密パッキング１５２は、シフターの排出孔１４４に対して緊密な密着状態を維持するとともに気密力を喪失しなくなるものである。
【００５４】
その上、シフター１４０に形成された排出孔１４４を遮断するために排出孔の内周面に接触するリッド１５０の気密パッキング１５２は、互いに対応する傾斜面になっているので、リッドの閉鎖操作時に安定した密着力を常時提供することになるだけではなく、リッドの排出孔の内周面に形成された接触突出部１４４ａに対して部分的に線接触しているので、リッドに対する加圧力が作用すればするほどさらに緊密な気密力が作用することになる。
【００５５】
したがって、本発明は、内部容器１３０に対するシフター１４０の安定した結合を誘導するとともに、シフターに形成された排出孔１４４に対する気密力が一層向上する構造を採択しているので、内部容器に収納された化粧品１７０の高品質維持が可能となる。
【００５６】
一方、本発明によるコンパクトタイプの化粧品容器１００において、内部容器１３０に収納された化粧品１７０を用いて化粧する状態を見れば、図１２から確認できるように、ヒンジ手段１０２を用いて外部容器１１０に対して外部カバー１２０が一方に開放された後、リッド１５０の化粧道具収納部１５１から化粧道具１６０が取り出され、ヒンジ手段１０６を用いて、上記リッド１５０は内部容器１４０に対して一方に開放操作される。
【００５７】
すると、リッド１５０の開放操作によって、シフター１４０の排出孔１４４は外部に露出されると同時に、化粧道具１６０で排出孔１４４を通じてメッシュ網１４６が押されることによって、内部容器１３０の化粧品は、メッシュ網を通じて適正量が排出されて化粧道具に付着するため、化粧道具に付いた化粧品を用いて化粧をすれば良い。そして、化粧道具によって強制に押し付けられていたメッシュ網１４６は、自己張力によって、化粧道具の加圧力が解除されると同時に原状に復帰することになる。
【００５８】
この時、メッシュ網１４６は、メッシュ網固定リング１４５によってシフター１４０の枠体１４１に対して常に緊張状態になるようにぴんと引っ張られているので、化粧品の排出使用が常に安定的に行われ、さらに化粧品の過度な押圧が防止されるとともに過度な垂れが防止できるものである。
【００５９】
そして、化粧が完了すれば、まずリッド１５０を閉めた後、化粧道具１６０を化粧道具収納部１５１に入れ、外部カバー１２０を閉めることによってリッド及び外部カバーの閉鎖操作を完了すると、これらは各開閉手段１０４、１０８の係合力によって閉鎖状態が維持され、シフター１４０の排出孔１４４は、リッド１５０の気密パッキング１５２によって気密に遮断される。
【００６０】
したがって、携帯使用時にもシフター１４０及びリッド１５０の安定した気密結合力によって、内部容器１３０に収納された化粧品や水分などが外部に漏出することが防止されることにより、品質を長く維持しながらも衛生的に使うことができ、良好な携帯使用性を提供することになる。
【００６１】
一方、本発明によると、図１３に示すように、化粧品１７０を収容する内部容器１３０の上端内周面の一定区間に、所定の傾斜角Ｆを有する傾斜面１３２ｂが形成されることで、内部容器に収容される化粧品の種類によってシフター１４０の結合安全性を図るように構成されることが好ましい。
【００６２】
例えば、内部容器１３０に収容される化粧品１７０が湿式パウダー型ではなくて乾式パウダー型の場合、一般的に乾式パウダー型の化粧品が充填された後、シフター１３０のメッシュ網１４６の上面にラベルＬが付着されることにより、シフター１４０の結合によるパウダーの外部への飛散が防止されるとともに、パウダーがリッド１５０の底面に付いて汚くなることが防止され、さらに製品の購入後においても消費者に新製品のような感じを提供することになる。
【００６３】
したがって、本発明は、上記内部容器１３０の上端内周面の傾斜面１３２ｂが、その上端から押され防止突起１４３ｂが接触する部分まで形成されることで、上記シフター１４０の結合の際、上記押され防止突起１４３ｂ及びその上側に位置する気密リング１４３ａが完全に結合されるまでは、上記シフターが結合される過程で内部容器の上端内周面に形成された傾斜面１３２ａに対して、上記押され防止突起１４３ｂ及び気密リング１４３ａが離隔した状態で結合され、シフターの結合による内部容器の圧力が上記隙間を通じて内部容器の外部に放出されるようにすることにより、内部圧力によって乾式パウダー型の化粧品がメッシュ網１４６を通じて外部に飛散することを防止し、さらにその上部に付着されたラベルＬが毀損されることを防止するように構成されたものである。
【００６４】
したがって、本発明は、上記のように内部容器１３０の上端内周面の一定区間にだけ傾斜面１３２ｂが形成されることで、乾式パウダー型の化粧品が充填された状態で内部容器に対するシフター１４０が結合される際、内部容器の内部圧力が解消されることによって、乾式パウダー型の化粧品がメッシュ網１４６を通じて飛散する問題を解決するだけではなく、メッシュ網１４６の上部に付着されたラベルＬを毀損しなくなるものなので、製品の使用安全性及び信頼性を一層高めることができるものである。
【００６５】
たとえ、本発明は添付図面に基づいて説明したが、本発明はこれに限定されず、下記の請求範囲を逸脱しない範疇内で多くの修正及び変更が可能であるのは言うまでもない。
【図１】
2018509257.tif 000003
【図２】
2018509257.tif 000004
【図３】
2018509257.tif 000005
【図４】
2018509257.tif 000006
【図５】
2018509257.tif 000007
【図６】
2018509257.tif 000008
【図７】
2018509257.tif 000009
【図８】
2018509257.tif 000010
【図９】
2018509257.tif 000011
【図１０】
2018509257.tif 000012
【図１１】
2018509257.tif 000013
【図１２】
2018509257.tif 000014
【図１３】
2018509257.tif 000015
【国際調査報告】
2018509257.tif 000016
2018509257.tif 000017